(57)【要約】      （修正有）【課題】毎日配達されて溜まった新聞紙を箱に入れたまま、取り出さないで束にできる新聞紙収納箱を提供する。【解決手段】あらかじめ、巻き結び結束紐Ａを装着した収納結束箱１に新聞紙Ｅを収納する。箱に入れたまま取り出さないで、結束紐を持ち上げて揺すりながら締めるだけで、仮結束できる。箱を逆さまにして新聞紙束を取り出し、固く本結束し、さらに十文字に結束する。従来の、新聞紙を取り出し、折り直し、積み重ね直し、結束するなどの時間と労力がかかる作業が大幅に減少する、簡単に楽になる。【選択図】図２
0003181506.tif 000002
【実用新案登録請求の範囲】
【請求項１】
収納結束箱の長辺方向の上部中央部から短辺方向に、
箱内側に沿ってＵ字形に巻き結び結束紐の引き締め部の約半分を配置し残りの約半分は新聞紙の収納を阻害しないように箱外側に保持する。
収納結束箱に入れた新聞紙はＵ字形の内側に収納され、
収納した新聞紙を巻き結び結束紐を引き締めて結束する、
巻き結び結束紐と新聞紙収納結束箱との組み合わせ。
【請求項２】
請求項１の収納結束箱に、
箱上部長辺の中央部に数個の紐固定支持用具を設ける。
【請求項３】
請求項１の収納結束箱に、
箱の底部上面中央部の短辺方向に板状の小突起を設けて小空間を造り巻き結び結束紐を通す。
【請求項４】
請求項１の収納結束箱に、
収納結束箱底面下側の短辺方向の全面または一部を、舟底状の緩やかな曲線にする。
を特徴とする  巻き結び結束紐と新聞紙収納結束箱との組み合わせ。
【考案の詳細な説明】
【技術分野】  読んだ新聞を収納結束することに関する【０００１】
【背景技術】
【０００２】
【先行技術分野】
【特許文献】
【非特許文献】
【考案の概要】
【考案が解決しようとする課題】  配達された新聞紙は読後、保管して、束ねて、所定の集荷所に各人が運搬しなければならない。従来はこの一連の作業を
１  読み終わった新聞紙や広告紙など（以下新聞紙）は、四つ折にして、壁の隅や箱の中などに投げ入れるように積み重ねられて、束ねるまでの間、一時的に保管されているのが普通のようである。
２  溜まった新聞を束ねるとき、普通には、取り出した新聞紙を床上に並べてはその前に座り、折り方が雑なときは折り直しなどもしながら、丁寧に床上に形よく２０〜３０ｃｍ位に積み重ねている。
３  束ねるには、片手で積み重ねた新聞紙を押さへながら片手で紐を回さなければならない。滑り易く不安定な形での作業であり、誤って崩してしまいまた積み重ねを繰り返すことも多々ある。
４  従来の十文字の結び方では、なかなか固く結束することはできない。
これらの一時保管した新聞紙を取り出して、折り直しや重ね直しなどして、紐を回して、固く十文字に結束することに、労力と時間とがかかる。
結束した新聞紙の重量は、厚さ１０ｃｍで約４ｋｇ位、２０ｃｍで約８ｋｇ、４０ｃｍで約１６ｋｇにもなる。上記の作業を容易にするために、新聞整理袋をサービスしている新聞配達所もあるが、月に１袋程度では不足するから新聞整理袋では４０ｃｍにもなる。袋に入れているだけであるからグラグラしていてそのうえに重い。新聞整理袋のサービスのない地域も多い。これらのことは集荷所に運ばれた新聞紙の荷姿を見れば一目瞭然である。
新聞は毎日配達される。作業が面倒で放置すればどんどん溜まる。溜まるほどに結束・運搬する量が多くなるから放置もできない。特に婦人・高齢者には辛い作業になる。
これらの一連の作業を
１  新聞を読んだ後、一時保管のために、収納結束箱に入れる。
２  入れた新聞は折り直しや重ね直しなどをしない。
３  入れた新聞はそのまま箱の中で仮結束する。
４  仮結束した新聞束を箱から取り出す。
５  仮結束した新聞束を固く本結束する。  さらに十文字に結束する。
６  集荷所へ運搬する。
に分ければ
１、６  は誰がしても同じような作業である。
２，３，４、５  を簡単に楽にして労力と時間とを節約し、紐が解ける不安なく運搬す  る。
のようにしたい。
【課題解決しようとする手段】
図１は、新聞紙を収納して新聞束にする収納結束箱１の全体図である。
新聞紙はきちんと折れば２０ｃｍ×２８ｃｍであるが、結束箱１の大きさを、読み終わった新聞紙をある程度雑に折って入れてもよいように数ｃｍの余裕をみて、底部２４ｃｍ×３２ｃｍ×高さ２５ｃｍ程度にし、底部から上部へテーパーをもつ形にする。樹脂製などで内側を平滑にする。スーパーの小型買い物カゴのようである。この大きさでÅ４紙、週刊誌なども収納できる。
図２は、本案で使用する巻き結び結束紐の基本図２−１である。簡単で強い結束力で多用されている。市販のポリプロピレン（ＰＰ）製玉巻きテープなどを使用すれば、丈夫で柔らかく、安価に製作できる。
本案の例で使用する巻き結び結束紐は、２−１の基本図を長くした２−２である。
本案の収納結束箱で結束後の新聞束の厚さを２０〜２５ｃｍとすれば、ＡＢの交差部をＣ、締め付け部Ａ約７０ｃｍ、２本の引締用端部Ｂ各約３０ｃｍとすれば、結束紐の全長４ｍ弱である。Ｅは結束される新聞紙である。この巻き結びの紐は簡単に製作できるから、あらかじめ数本作って置く。
この結束紐を収納結束箱１に装着した状態が図２−３（請求項１）であり、そのときの紐の使用状態を図示したものが図２−４である。締め付け部Ａの中央部分Ｄが箱の底面中央部にくるように固定支持用具イ（請求項２）で位置を決めて保持する（２−３）。
箱の内側は平滑であり突起物等は無いから、結束紐を結ぶときにも新聞紙の出し入れにも引っかかるなどの邪魔にはならない。
新聞紙収納結束箱１の使用法
１  収納結束箱に結束紐を装着する
最初に、読み終わった新聞を収納結束箱に入れる前に、結束紐２−２を、結束箱１の上部中央の固定支持用具イ（請求項２）で位置を固定支持し、図２−３のように装着する。
２  新聞紙を収納する。
読み終わった新聞をいつものように四つ折にして結束箱に入れる。箱の中に入れることであるから少々は雑に入れて列が乱れても崩れないし、入れた新聞紙Ｅは巻き結び紐２−２の締め付け部Ａの中に入っていることになる（図２−４）。紐は入れた新聞紙の外側を結束している。
３  新聞を仮結束し、箱と新聞を分ける。
図３は  結束・分離作業時の断面図で、新聞紙を、箱に入れたまま取り出さないで仮結束し、箱から分けるときの使用法である。
３−１  箱の中で新聞を新聞束にするには、
図３−１は、図２−３で結束紐Ａを固定支持用具イから外し、Ｂ・Ｃ部を上に持ち上げた断面図であり（図２−４と同じ）、重ねた新聞紙Ｅは紐のＡ部に囲まれている。このとき新聞紙は未だ箱の中にある。
図３−１で、２本の引き締め用端部Ｂを左右の手に持ち、紐を左右に交互に揺すりながら引っ張る、締め付け部Ａが徐々に締まり始まる。締める前が３−１であり、締めた状態が３−２である。箱の中で締めているから仮結束と称する。約２５ｃｍに積んだ新聞紙の高さは結束すれば２０ｃｍ位になる。
締め付け部Ａが徐々に締まり始まる、ということは、紐同士の擦れ合いと，紐と結束される新聞紙束の四周と擦れ合いながら紐が大きく動いて締まっていくことである。
新聞紙四周の摩擦は上面と両側面は小である。下面の状態は、積み重なって重くなった新聞紙底面の平らな面と、結束箱底面の滑らかな面が密着していて、結束紐はその間に挟まれて摩擦で紐のすべりが悪くなる。紐を左右に交互に引っ張りながら、締め付け部Ａを徐々に締めるには少し力が要ることになる。
下面での紐の滑りをよくするために、結束箱の底上面短辺方向の中央部に２個の板状片ロを設けて、約高さ１ｃｍ幅１０ｃｍ長さ２４ｃｍ（箱底面の短辺の長さ）の小空間ハを造り、その空間に巻き結びの紐Ａを通す（断面図１−２）（拡大断面図１−２−１）（請求項３）ことで下面の摩擦が小になり結束紐の締め付け時の力は激減する。
また、巻き結び紐を引き締めるとき，積んだ新聞紙Ｅを揺らしながら紐を左右に交互に引っ張ると締まり易くなる。この場合箱の中の新聞束だけを揺らすのは新聞束の周囲に空間が無いから難しいが箱を揺らせばその中の新聞束が揺れる。結束箱の底面を曲線にして、または結束箱の底面にゆるい曲線を持つ板状片ニを設けて箱が容易に揺れるようにする（請求項４）。
積んだ新聞紙を揺らしながら紐を左右に交互に引っ張ると、収納結束箱全体が揺れて、紐と新聞紙の四周との摩擦が断続的に強弱になり、紐は擦れ合いながら除々に締まって新聞束になる。このとき大きな力は要らない。箱の中で結束しているから仮結束と称する。慣れて強く結束できれば、後の本結束作業を省略できる。
３−２  新聞紙束を収納結束箱から取り出す。
箱の中で仮結束した新聞紙束が入ったまま、２本の引き締め用端部Ｂを一緒に左手で握りながら、右手で箱全体を横に倒し、さらに倒して、上下逆さまにする。その間、左手で引き締め用端部Ｂの２本を一緒にして少し引っ張りながら持っていれば結びは弛むまない。また左手で持つ代わりに、２本の引き締め用端部Ｂを、直ぐ解けるように仮結びしてもよい。
結束箱の深さ（高さ）よりも新聞紙束の厚さ（高さ）が小さければ（３−３−１）、箱の中で新聞紙束が下に落ちて、箱と新聞紙束が離れる（３−３）から、結束箱を持ち上げれば新聞束が床上に残る。
結束箱の深さ（高さ）よりも新聞紙束の厚さの（高さ）が大きければ（３−４−１）、新聞束が床について結束箱は床上から離れている（図３−４）。
内側は平滑で突起物も無くテーパー状に下に開いているから、新聞束に引っかかることもなく結束箱だけを持ち上げることができる。
収納結束箱を上下逆さまにすることで、簡単に分離し、新聞紙束を持ち上げないから力が要らない。
４  本結束し、十文字に結束する。
結束箱から離れて床上に転がった新聞束は、箱の中でおこなった仮結束である。
床上で新聞束を大きく揺すりながらできるだけ固く紐を締めて本結束とする。巻き結びの特徴で固く締まった紐は紐同士の摩擦で緩まない。
新聞束をつくることで引き締め部Ａの２重部分が余って、その長さが引き締め端Ｂに加算されて長くなるから、この長さを利用して新聞紙を十文字に固く結束できる。緩まな  いから集荷所への運搬途中でも安心である。
５  空になった収納結束箱１に結束紐２−２を装着して、新聞を入れるための所定の場所に置いて収納に備える。
このとき結束紐２−２のＡ部の下端部分Ｄが小空間ハの中央部に納まるように、固定支持用具イで調節しながら装着する。
【考案の効果】
従来の配達された新聞紙を読後、保管して、束ねて、所定の集荷所に各人が運搬しなければならない。その中で一番に厄介なのは、束ねるために、新聞紙を取り出して、ときには折り直し、ときには積み重ね直しをし、積み重ねした不安定な新聞紙を片手で押さえ片手で紐を回して固く十文字に結束することである。この間の腕の上げ下げ回数は何十回、新聞紙の量が多ければ何百回にもなる。この作業にかかる労力と時間は大きい。
これらの一連の作業を、課題のなかで
１、６  は誰がしても同じ作業である。
２，３，４、５  を簡単に楽にして労力と時間とを節約し、固く十文字に本結束して    、紐が解ける不安なく運搬したい。
のようにしたい、としたが
本考案によれば
１  巻き結び結束紐をつくり、収納箱に装着する手間が少々かかる。しかし、この巻き結び結束紐と収納収納箱と組み合わせることで、従来の、新聞紙を保管して、束ねて、結束する、の労力と時間が大きく減少する。（請求項１）
２  箱に新聞紙を入れることは、あらかじめ装着してある結束紐の締め付け部Ａの輪の中に入れることであるから、そのときから収納作業が始まっている。（請求項１）
さらに結束紐を、新聞紙の中央部にくるように固定（請求項２）しながら、結束紐の摩擦を少なくするための箱底部の小空間（請求項３）に誘導し、結束箱の底部に緩やかな曲線（請求項４）を持たせて揺れ易くやすくしたことで結束作業をより容易にした。その結果、箱に入れたまま取り出さないで、両手で紐を持ち上げて引っ張りながら結束箱を揺するだけで容易に仮結束ができる。箱を転がして逆さまににして新聞束と箱を分ける。分けられて床上にある仮結束した新聞束を同様に本結束する、十文字に結ぶ。巻き結びは非常に固く結束でき、運搬時に安心である。
とすることでと労力と時間が大いに節約できる。
巻き結び結束紐を装着した本案の  箱に入れたまま取り出さないで束にできる新聞紙収納結束箱  を使用すれば、結束箱に入れた新聞が箱から出たときはもう結束されている。従来の一番労力と時間のかかる作業をしなくてもよい。
一紙だけでなく毎日数紙が配達される家庭や事務所などではこの作業で大いに楽になる。
作業が簡単に、楽に、力が要らない、から婦人・高齢者でも新聞紙の後始末が楽にできるようになる。
【図面の簡単な説明】
【図１】  図１は、    新聞紙収納結束箱１の全体図である。                                    １−１      収納結束箱                                                          １−２        々      長辺断面図                                                １−２−１    々      拡大図                                                    １−３        々      短辺断面図
【図２】  図２は、    結束紐の説明図である。                                                ２−１      巻き結び基本図                                                      ２−２      本案の巻き結び図                                                    ２−３      結束箱への装着図                                                    ２−４      巻き結び紐と新聞紙の俯瞰図
【図３】  図３は      結束・分離作業時の断面図                                              ３−１      結束紐を持ち上げた図（締める前）                                    ３−２      結束時                                                              ３−３−１  結束箱の高さより新聞紙束の高さが小                                  ３−３      結束箱と新聞紙束が離れた図                                          ３−４−１  新聞紙束の高さが結束箱の高さより大                                  ３−４      結束箱と新聞紙束が離れた図
【考案を実施するための形態】
【実施例】明細書に記載の通りに実施している。
従来の  取り出して積み重ねて束ねる作業  がなくなった
特に新聞を  収納したままで結束できる  ことで楽になった
収納〜運搬まで  労力・時間が少なくなった。
【符号の説明】イ      紐固定支持用具
ロ      板状片
ハ      小空間（幅１０ｃｍ×高さ１ｃｍ程度）
ニ      曲線を持つ板片
Ａ      締め付け部
Ｂ      引締用端部
Ｃ      ＡＢの交差部
Ｅ      結束される（た）新聞紙
【図１】
0003181506.tif 000003
【図２】
0003181506.tif 000004
【図３】
0003181506.tif 000005
【手続補正書】
【提出日】平成24年11月12日(2012.11.12)
【手続補正１】
【補正対象書類名】実用新案登録請求の範囲
【補正対象項目名】全文
【補正方法】変更
【補正の内容】
【実用新案登録請求の範囲】
【請求項１】
収納結束箱の長辺方向の上部中央部から短辺方向に
巻き結び結束紐の引き締め部の約半分を箱内側に沿ってＵ字形に配置し
残りの約半分は新聞紙の収納を阻害しないように箱外側に保持し
収納結束箱に入れた新聞紙はＵ字形の内側に収納され
収納した新聞紙を巻き結び結束紐で引き締めて結束する
巻き結び結束紐と新聞紙収納結束箱との組み合わせからなる新聞紙収納結束箱。
【請求項２】
箱上部長辺の中央部に数個の紐固定支持用具を設ける請求項１記載の新聞紙収納結束箱。
【請求項３】
箱の底部上面中央部の短辺方向に板状の小突起などを設けて小空間を造りその空間に巻き結び結束紐を通す請求項１記載の新聞紙収納結束箱。
【請求項４】
収納結束箱底面下側の短辺方向の全面または一部を舟底状の緩やかな曲線にする請求項１記載の新聞紙収納結束箱。